(57)【要約】【課題】構造が単純で製造コストが安く、且つ、軽量で設置や交換作業が容易な雨水濾過器を提供する。【解決手段】蓋板４に連結された流入管５から流下した雨水は、屋根１１の斜面に沿って放射状に流れ落ちて、外筒３と内筒９間の間を流下し、切欠１０（連通部）から内筒９内に流入する。内筒９の内部には、下部フィルタ板１４と上部フィルタ板１５との間で区画された空間内に濾材１６が収容されており、雨水は濾材１６を下方から上方へ通過して有害物質が吸着除去された後、流出管８から排出される。流入管５より濾材の処理能力を超えた雨水が流入した場合は、濾材１６を通過せずにオーバーフロー管１８から外部へ排出される。外筒、内筒、流入管、流出管、オーバーフロー管１８は既製の樹脂管を使用してありコストが大幅に削減される。【選択図】図１
0003148922.tif 000002
【実用新案登録請求の範囲】
【請求項１】
下端が底板で閉塞され、上端に蓋板が着脱可能に取り付けられた外筒と、外筒内部に同心状に配設され、外筒より高さが低く下端に連通部が形成された内筒と、内筒上部に内筒を覆うように着脱自在に設けられた屋根と、蓋板を貫通して設けた樹脂管からなる流入管と、内筒の上部に外筒を貫通して設けた樹脂管からなる流出管と、この流出管よりも高い位置で外筒に連結された樹脂管からなるオーバーフロー管と、内筒の内部に設けられた着脱自在な下部フィルタ板と上部フィルタ板によって形成された濾過室とを備えた雨水濾過器。
【請求項２】
請求項１において、外筒と内筒が樹脂管である雨水濾過器。
【請求項３】
請求項１または２において、濾過室内に充填される濾材が袋に詰めたポリプロピレン樹脂濾材である雨水濾過器。
【考案の詳細な説明】
【技術分野】
【０００１】
本考案は、建物の屋根等から集水した雨水中の異物や有害物質を除去する雨水濾過装置に関する。
【背景技術】
【０００２】
建物に降り注がれた降り始めの雨水は、降下中に取り込んだ大気中の塵埃を含み、また、建物の屋根を流下する間に屋根に付着した土砂、更には雨樋に沈積した土砂を洗い流して流下するので塵埃や土砂が多く含まれている。このため、雨水を貯留して利用するにあたっては、これらの塵埃や砂を除去することが必要であり、特許文献１に開示されているように、砂や塵埃を比較的多く含む初期雨水を除去する流下雨水の濾過装置が提案されている。
また、特許文献２には、初期雨水を外部に排出させるために、収納室の下部に外部に連通する筒体を設け、筒体に棒状部材を離脱可能に装着することによって掃除を簡単におこなうことができるようにした濾過装置が開示されている。
【０００３】
【特許文献１】特開２００６−１４４５０４号公報
【特許文献２】特開２００８−２７４７０８号公報
【考案の開示】
【考案が解決しようとする課題】
【０００４】
特許文献１及び特許文献２に記載されている雨水濾過装置は、構造が複雑であり、製造コストが高くなり、更に、コンクリート製の雨水濾過器とすると重量が大きくなる問題があった。
【０００５】
そこで、本考案は、構造が単純で製造コストが安く、且つ、軽量で設置や交換作業が容易な雨水濾過器を提供することを目的とする。
【課題を解決するための手段】
【０００６】
下端が底板で閉塞され、上端に蓋板が着脱可能に取り付けられた外筒と、外筒内部に同心状に配設され、外筒より高さが低く下端に連通部が形成された内筒と、内筒上部に内筒を覆うように着脱自在に設けられた円錐形の屋根と、蓋板を貫通して設けた樹脂管からなる流入管と、内筒の上部に外筒を貫通して設けた樹脂管からなる流出管と、この流出管よりも高い位置で外筒に連結された樹脂管からなるオーバーフロー管と、内筒の内部に設けられた下部フィルタ板と上部フィルタ板によって形成された濾過室とを備えた雨水濾過器とすることによって、濾過器を構成する部品には既製品を使用するようにして構造を単純化し、既製品を部品とすることによってコストを大幅に削減したものである。
【考案の効果】
【０００７】
本考案の雨水濾過器によれば、構成部品の大半部分を大量生産品である既製品の塩化ビニル等の樹脂管を採用して製造コストをコンクリートに比較して大幅に削減した。また、重量が軽く、設置や交換作業が容易であると共に設置工事費を削減することができ、低廉な価格で提供することができる。
【考案を実施するための最良の形態】
【０００８】
以下、図面の実施例に基づいて、本考案を説明する。
図１は、本考案の雨水濾過器の１実施例の内部構造を示す斜視図、図２は、その縦断面図であって、これらの図に示すように、雨水濾過器１は、下端が底板２で閉塞された外筒３を有している。本実施例では、外筒３は塩化ビニル管であり、円板状に加工された底板２が、外筒３の下端に水密に接着固定されている。
【０００９】
また、外筒３の上端には、外筒３の外形と略等しい直径に、円形の縞鋼板製の蓋板４が、ボルトによって締結固定されており、着脱自在である。蓋板４の中央部には、塩化ビニル管からなる流入管５が接合されている。
【００１０】
流入管５は集水した雨水を外筒３内に流入させるもので、その端部が蓋板４の中央部に形成された連結孔６に嵌合されて水密に接合されている。また、外筒３の周壁には貫通孔７が形成されていて、この貫通孔７を塩化ビニル管からなる内筒９の上部に取り付けられた流出管８が水平に貫通している。
【００１１】
この貫通孔７は、流出管８の外径に適合するサイズで形成されており、流出管８外周面と貫通孔７間の隙間は水密に密封されている。一方、外筒３の内部には、外筒よりも小さな直径で外筒３の高さより低い塩化ビニル管からなる内筒９が、外筒３と同心状に配置されており、内筒９の上端は外筒３の上端よりも下方に位置している。
【００１２】
内筒９は、その下端面が底板２の上面に接着固定されており、また、下端近傍の直径方向に対向する２箇所に、切欠１０がそれぞれ形成されており内筒９と外筒３を連通している。
【００１３】
内筒９の上端は、円錐状、多角錐状、またはドーム状等の屋根１１が設けてある。この屋根１１は、その頂点１１Ａが、蓋板４下面中央に位置する流入管５の開口５Ａの真下に位置しており、また、その底部周縁１１Ｂの直径は、内筒９の上端を完全に覆い、且つ、外筒３の内周面との間で環状の隙間を生じるサイズとしてある。
【００１４】
屋根１１は、その裏面の複数箇所に設けられている弾性取付片１２（図２参照）を内筒９の上端内周面に嵌入させることにより、内筒９に対して着脱可能にしてある。また、内筒９外周面の上端近傍には、前述した流出管８を水密に嵌合固定している連結孔１３が形成されており、内筒９を流出管８と連通させている。
【００１５】
内筒９の内側の、前述した切欠１０よりやや上方位置には、円板状の下部フィルタ板１４が底板２との間に隙間を空けて対向するように水平に固定されている。
この実施例においては、下部フィルタ板１４には、内筒９の内径に適合する外径を有する円板状のステンレス製ネットが用いられている。なお、下部フィルタ板１４は、必要に応じて、内筒９から取り外しできるようにしてあってもよい。
【００１６】
また、内筒９内の下部フィルタ板１４よりも高い位置で且つ流出管８よりも低い位置には、下部フィルタ板１４と対向するように、上部フィルタ板１５が内筒９に対して着脱自在に取り付けられている。この上部フィルタ板１５には、下部フィルタ板１４と同様に、内筒９の内径に適合する外径を有する円板状のステンレス製ネットが用いられている。
【００１７】
なお、この実施例においては、下部フィルタ板１４、上部フィルタ板１５のそれぞれにステンレス製ネットを用いているが、これらのフィルタ板には、例えば、微細な孔を多数開けてあるパンチングメタルや産業用メッシュネット等を用いてもよい。
【００１８】
内筒９内の下部フィルタ板１４と上部フィルタ板１５との間で区画された空間内には、濾材１６を封入した円筒状の袋体１７が収容されている。ここで用いる濾材１６には、親油性物質等を吸着する能力が高く、且つ、攪拌洗浄が容易であることから、発泡ポリプロピレンの細片、または粒体が好ましいが、活性炭やその他の公知の濾材を用いてもよい。
【００１９】
この濾材１６は、蓋体４、屋根１１、上部フィルタ板１５を順に取り外すことにより、外筒３の上端から袋体１７ごと内筒９内にセットしたり、あるいは、使用済みのものを新品と交換することができる。
【００２０】
また、外筒３外周面の流出管８と反対側でこれより高い位置には、塩化ビニル管からなるオーバーフロー管１８が連結されている。オーバーフロー管１８は、その端部の外周面が外筒３の周壁に形成された連結孔１９に嵌合されて水密に連結されている。
【００２１】
次に、前述したように構成されている雨水濾過器１の濾過作用を説明する。
流入管５から雨水濾過器１の外筒３内に流入した雨水は、流入管５の真下に頂点１１Ａが位置している円錐状の屋根１１上に流下する。
【００２２】
屋根１１の上に流下した雨水、屋根１１の円錐状斜面に沿って放射状に拡がって流下するため、その流速は減速されて、内筒９の上端から庇状に突出している屋根１１の底部周縁１１Ｂから均等に、外筒３内周面と内筒９外周面間に形成されている環状の隙間を底板２に向けて落下する。
【００２３】
底板２上の外筒３と内筒９との間に溜まった雨水は、切欠１０からなる連通部を通って内筒９内に流入する。その後、流入管５から継続して雨水が流入し内筒９内の水位が上昇し、下部フィルタ板１４を通過し、さらに、袋体１７内に封入されている濾材１６間を上昇する。
【００２４】
濾材１６内通過する際、雨水中の有害物質は濾材１６に吸着され、土砂類は底板２に沈積する。上昇した雨水は、内筒９の外周面に水平に連結されている流出管８を通って外部に排出され、貯留槽などに導かれて適宜の用途に使用される。
【００２５】
また、集中豪雨等によって流入管５から濾過器の処理能力を超える雨水が流入した場合は、外筒３と内筒９との間の水位が上昇して流出管８よりも上方に連結されているオーバーフロー管１８から外部に排出される。
【００２６】
オーバーフロー管１８は、図示していないが排水管に連結してある。オーバーフロー管１８から排出される雨水は、濾材１６を通過していないため、汚染物質等が除去されていないが、雨水に含まれる汚染物質は、降雨の初期段階が多く、降雨が継続する場合には雨水に含まれる汚染物質の量は少なくなるため、濾材１６を通過させずに排出しても問題を生じる恐れは少ない。
【００２７】
なお、前述した実施例においては、雨水濾過器１を構成する外筒３、内筒９、流入管５、流出管８、オーバーフロー管１８等を塩化ビニル樹脂によって製作しているが、これらの部品類は、塩化ビニル樹脂以外の樹脂材料で製作してもよく、外筒及び内筒をコンクリート製としてもよい。
【００２８】
また、本実施例においては、内筒９下端近傍の直径方向に対向する２箇所に切欠１０を連通部として形成しているが、連通部の形状はこれに限定するものではなく、例えば、内筒９の下端近傍の周壁にその円周方向に沿って１つまたは複数の孔を空けてこれらを連通部としてもよい。
【００２９】
さらに、内筒外周面と外筒内周面との間を複数箇所連結部材で連結する等の方法により、底板上面と内筒下端面との間を離間させ、両者の隙間で連通部を構成するようにしてもよい。
【産業上の利用可能性】
【００３０】
本考案の雨水濾過器は、低コストで製造可能であり、雨水の濾過に幅広く利用することができる。
雨水処理能力が１個の濾過器では十分でない場合は、設計処理量に応じて複数の雨水濾過器を並列に設置することによって対処する。この場合は、濾過器の前段に受水槽を設けて各雨水濾過器に分配する。
【図面の簡単な説明】
【００３１】
【図１】本考案の１実施例における雨水濾過器の内部構造を示す斜視図。
【図２】本考案の１実施例における雨水濾過器の縦断面図。
【符号の説明】
【００３２】
１              雨水濾過器
２              底板
３              外筒
４              蓋板
５              流入管
５Ａ            開口
６、１３、１９  連結孔
７              貫通孔
８              流出管
９              内筒
１０              切欠（連通部）
１１              屋根
１１Ａ            頂点
１１Ｂ            底部周縁
１２              弾性取付片
１４              下部フィルタ板
１５              上部フィルタ板
１６              濾材
１７              袋体
１８              オーバーフロー管
【図１】
0003148922.tif 000003
【図２】
0003148922.tif 000004